(57)【要約】【課題】  メガネのフロント部両側に折畳み出来るように取付けた撓み変形するツル構造の提供。【解決手段】  ツル２は蝶番３と連結する基部側ブロック７と本体アーム１０が連続して延びる先端側ブロック９とをワイヤー１１，１１にて連結し、該ワイヤー１１，１１には中間ブロック８，８を取付け、そして上記各ブロック間にはボール１３，１３・・を介在し、ボール１３，１３・・は各ブロックの端面１５，１７に形成した滑らかな曲面で形成した凹部１６，１８に上記ボール１３，１３の一部を係合している。【選択図】    図２
2014137381.tif 000002
【特許請求の範囲】
【請求項１】
メガネのフロント部両側に折畳み出来るように取付けたツルの構造において、該ツルは継手と連結する基部側ブロックと本体アームが連続して延びる先端側ブロックとをワイヤーにて連結し、該ワイヤーには１個又は複数個の中間ブロックを取付け、そして上記各ブロック間にはボールを介在し、ボールは各ブロックの端面に形成した凹部に上記ボールの一部を係合したことを特徴とするメガネフレームのツル構造。
【請求項２】
上記凹部をボールと同じ滑らかな曲面で構成した請求項１記載のメガネフレームのツル構造。
【請求項３】
上記中間ブロックには穴を貫通し、この穴にワイヤーを挿通して中間ブロックをワイヤーに取付けた請求項１、又は請求項２記載のメガネフレームのツル構造。
【発明の詳細な説明】
【技術分野】
【０００１】
本発明はメガネフレームのフロント部両サイドに取付けられて、弾力性を備えたツル構造に関するものである。
【背景技術】
【０００２】
メガネにはフロント部の両側にツルを備えていて、該ツルは蝶番などの継手を介して折畳むことが出来る。すなわち、メガネを顔に掛ける場合に両ツルを開き、顔から外した場合には両ツルは折畳んで閉じられる。そして、顔にかけた状態ではツルが顔側面及び後頭部に適度な押圧力が作用するように弾力性を備えている。その為に、ツルは弾性に優れた材質が用いられている。
【０００３】
近年のメガネフレームは軽くてバネ性に優れた材質が好まれる為に、この要求を満たす材質としてチタン材が多用されている。ツルを連結する継手は折畳む場合に該ツルが旋回出来るように機能するが、ツルが開いた状態で停止するようになっている。しかし、ツルが開いた状態から外側へ僅かに押し開くことが出来るバネ蝶番と称される継手も多用されている。
【０００４】
特開２００２−２０７１９８に係る「メガネフレームのツル継手構造」はバネ蝶番の１形態であり、ヨロイ先端には軸受けを備えると共に軸受けの軸穴には円形ツバを形成した軸を回転可能に嵌め、そして軸にはツルを連結して軸穴から外側に貫通したスライド溝に沿ってツルは開閉することが出来、スライド溝を形成するガイド片の一部にはツルが挿通する大きさの切欠き部を有し、そして軸部の外周面には押圧部を当接してバネ力を付勢した構造となっている。従って、ツルは開いた状態から外側へ僅かに押し開くことが出来、顔側面及び後頭部に適度な押圧力が作用することで、顔に掛けたメガネは位置ズレすることなく安定することが出来る。しかし構造が複雑になり、コストは必然的に高く成ってしまうと共に、継手部が大きくなりツル全体の外観を損なう虞がある。
【０００５】
一方、特許第４９００７４３号に係る「テンプル」は、レンズ部に対する枢着部と耳当て部との間に弾圧部を有するメガネ用のテンプルであって、該弾圧部が複数の線状アーチ部を備えており、これら複数の線状アーチ部が互いに間隔を置いて並んで配設されている。すなわち、継手となる枢着部は一般的な蝶番が用いられているが、テンプル（ツル）の一部に弾性に優れた弾圧部を備えている。
しかし、該弾圧部は複数の線状アーチ部で構成され、その為に弾圧部の外観は特別に目立つ部位となり、ツル全体としての外観が損なわれることもある。
【特許文献１】特開２００２−２０７１９８に係る「メガネフレームのツル継手構造」
【特許文献２】特許第４９００７４３号に係る「テンプル」
【発明の開示】
【発明が解決しようとする課題】
【０００６】
このように、従来のツル構造には上記のごとき問題がある。本発明が解決しようとする課題はこれら問題点であり、ツル全体の外観を損なうことなく、しかも弾性に優れたツル構造を提供する。
【課題を解決するための手段】
【０００７】
本発明に係るツル構造は、該ツルの一部に弾性部を備えている。すなわち、ツルの継手側には基部側ブロックを設け、先端側には先端側ブロックを設けており、基部側ブロックと先端側ブロックとの間を弾性に優れたワイヤーにて連結し、このワイヤーには１個又は複数の中間ブロックを取付け、これら各中間ブロックはワイヤーを被覆している。そして、基部側ブロック及び先端側ブロックと中間ブロックの間、及び各中間ブロック間にはボールを介在し、基部側ブロックと中間ブロック、先端側ブリックと中間ブロック、及び各中間ブロックの間隔が一定になるように規制している。
【０００８】
ここで、基部側ブロックの端面、先端側ブロックの端面、及び中間ブロックの両端面にはボールの一部が係合する為の凹部が形成され、ワイヤーが湾曲する際には該ボールは係合した凹部内で回転することが出来る。そして、ワイヤーは１本であったり、２本であったり、又はそれ以上とすることが出来、各ブロック間のボールの個数はバランスをもって介在する。すなわち、ワイヤーが１本の場合には、該ワイヤーを間にして上下位置に、またワイヤーが２本の場合には両ワイヤーの間にボールを介在する。
【発明の効果】
【０００９】
本発明のツル構造では、ツルの一部に弾性部を有している為に、該ツルは撓み変形し易く、その為にメガネを顔に掛けた場合にツルは顔側面及び後頭部に適度な押圧力が付勢される。すなわち、弾性部を構成しているワイヤーは湾曲することが出来る。従って、メガネを顔に掛けた場合にツルは顔側面及び後頭部に適度な押圧力が作用してメガネは位置ズレすることなく安定する。
【００１０】
そして、ワイヤーには中間ブロックを取付けていることで外観上はワイヤーを被覆し、その為にツルの撓み変形がワイヤーに基づくものと分かりにくく、各中間ブロックがその向きを変えてツルが湾曲しているような外観を呈する。ワイヤーに取付けた各中間ブロックはワイヤーの湾曲と共にその向きを変化するが、各ブロック間の空間（間隙）を調整することで弾性部の湾曲度を規制することが出来、ひいてはツルの撓み量を規制することが出来る。
各ブロックの間隙を小さくすることで、小さい湾曲にてブロックの両縁が当接してツルの撓みは規制され、逆に各ブロックの間隙を大きくするならば、ツルの撓みは大きくなる。
【図面の簡単な説明】
【００１１】
【図１】本発明のツル構造を備えたメガネフレーム。
【図２】本発明のツル構造の外観図を示している。
【図３】本発明のツル構造の実施例を示す概略図。
【図４】ツル構造を構成する中間ブロックの具体例。
【図５】ツル構造を構成する基部側ブロックの具体例。
【図６】ツルの弾性部が湾曲した状態。
【図７】本発明のツル構造の他の実施例を示す概略図。
【発明を実施するための形態】
【００１２】
図１は本発明のツル構造を備えたメガネフレームを示す実施例である。同図の１はフロント部、２はツルを表し、フロント部１の両側にはツル２，２が蝶番３，３を介して連結し、その為に、ツル２，２は折畳むことが出来る。フロント部１はレンズが嵌る両リム４，４が連結部材５にて左右対称を成して連結され、フロント部１の両側には概略Ｌ形をしたヨロイ６，６がロウ付けされている。
【００１３】
上記ツル２，２は該ヨロイ６，６と蝶番３，３を介して繋がれ、該蝶番３，３を介して折畳むことが出来、しかもツル２，２は開いた状態から外方向へ撓み変形することが出来る構造としている。図２は本発明のツル構造を表している実施例であり、ツル２は基部側ブロック７、２個の中間ブロック８，８、先端側ブロック９、本体アーム１０、そしてモダン（図示なし）で構成している。
【００１４】
上記基部側ブロック７はヨロイ６と蝶番３を介して連結し、該基部側ブロック７と先端側ブロック９とは図示していないワイヤーにて連結している。そして、先端側ブロック９から本体アーム１０が連続して延び、本体アーム１０の先端部にはモダン（耳掛け）が挿着されている。上記中間ブロック８，８には細い穴が貫通し、この穴にワイヤーが挿通することで中間ブロック８，８が取付けられている。
【００１５】
中間ブロック８，８は所定の間隙を有し、また基部側ブロック７と中間ブロック８との間、及び中間ブロック８と先端側ブロック９との間にも間隙を形成している。そして、これら各間隙の大きさは等しく設定され、その為に基部側ブロック７と中間ブロック８、両中間ブロック８，８の間、そして中間ブロック８と先端側ブロック９との間にはボールが介在している。
【００１６】
ここで、図２では中間ブロック８の個数を２個としているが、限定はしない。基部側ブロック７と先端側ブロック９との間は細いワイヤーにて連結されている為に、該ワイヤーは湾曲することが出来る。従ってツル２は撓み変形可能である。ワイヤーには中間ブロック８，８が取付けられているが、ワイヤーの湾曲を妨げるものではなく、その為に、中間ブロック８，８の間、基部側ブロック７と中間ブロック８との間、及び中間ブロック８と先端側ブロック９との間に間隙１２，１２・・・を形成している。
【００１７】
図３は本発明のツル構造を表している概略図である。基部側ブロック７と本体アーム１０が連続して延びている先端側ブロック９とは所定の間隔をおいた２本のワイヤー１１，１１にて連結され、この２本のワイヤー１１，１１には２個の中間ブロック８，８が取付けられている。
そして、基部側ブロック７と中間ブロック８、両中間ブロック８，８、そして中間ブロック８と先端側ブロック９との間に形成している間隙１２，１２・・・を一定にする為にこれら間隙１２，１２・・・にはボール１３，１３・・・が介在している。
【００１８】
中間ブロック８，８が存在しない場合であれば、２本のワイヤー１１，１１が表面化するが、中間ブロック８，８はワイヤー１１，１１を被覆し、その為に本発明のツル２は該ワイヤー１１，１１が見え難く、基部側ブロック７から先端側ブロック９まで連続した形状であるように見える。すなわち、基部側ブロック７と先端側ブロック９とが２本のワイヤー１１，１１にて連結していることが分かりにくく、一般的はツル本体が湾曲しているような外観を呈する。
ツル２の一部に形成する弾性部は上記ワイヤー１１，１１と、該ワイヤー１１，１１に取付けた中間ブロック８，８にて構成している。
【００１９】
図４は中間ブロック８を示している。中間ブロック８は直方体をなし、２本の穴１４，１４は両端面１５，１５から貫通して設けられ、そして、両端面１５，１５には滑らかな曲面で構成している凹部１６，１６を形成している。凹部１６，１６は両端面１５，１５の中心に設けられ、穴１４，１４は凹部１６を中心として上下対称位置に設けられている。上記ボール１３はこの滑らかな曲面をした凹部１６に係合する。
【００２０】
図５は基部側ブロック７を表している実施例である。端面１７の中央にはボール１３が係合するように滑らか寝曲面を形成した凹部１８が形成され、該凹部１８を中心として上下位置には穴１９，１９が設けられている。先端側ブロック９の端面にも基部側ブロック端面１７の場合と同じように凹部と穴が形成されている。２本のワイヤー１１，１１の両先端部は穴１９，１９・・・に嵌合してカシメられ、該穴１９，１９・・・から外れないように固定される。勿論、ワイヤー１１，１１の両先端部の固定方法はカシメに限定するものではなく、溶接などにて固定することも出来る。
【００２１】
図６はツル２が外側へ湾曲している状態を表している。このように、ワイヤー１１，１１に中間ブロック８，８を取付けて構成した弾性部を有すツル２は滑らかに湾曲することが出来る。各ブロックの間にはボール１３，１３・・・が介在していることで、中間ブロック８，８はワイヤー１１，１１の湾曲に追従してその向きを変えることが出来る。
【００２２】
図６に示す状態では、さらに外側へ湾曲してツル２は撓むことが出来るが、各ブロック間に形成している間隙１２，１２・・・の大きさを調整することで弾性部の湾曲度を規制出来る構造としている。すなわち、間隙１２，１２・・・を小さくするならば、僅かに湾曲したところで各ブロック同士が接してしまう。逆に間隙１２，１２・・・を大きくするならば湾曲度を大きくすることが出来る。
【００２３】
図７は本発明のツル構造を示す他の実施例である。基本的な構造は前記図３に示すツル構造と同じであるが、該実施例に示すツル構造では、ワイヤーが１本で、ボール１３，１３・・・は該ワイヤー１１を挟んで上下位置に介在した構造と成っている。すなわち、ワイヤー１１は１本であるが、６個のボール１３，１３・・・を使用している。
【符号の説明】
【００２４】
１  フロント部
２  ツル
３  蝶番
４  リム
５  連結部材
６  ヨロイ
７  基部側ブロック
８  中間ブロック
９  先端側ブロック
10  本体アーム
11  ワイヤー
12  間隙
13  ボール
14  穴
15  端面
16  凹部
17  端面
18  凹部
19  穴
【図１】
2014137381.tif 000003
【図２】
2014137381.tif 000004
【図３】
2014137381.tif 000005
【図４】
2014137381.tif 000006
【図５】
2014137381.tif 000007
【図６】
2014137381.tif 000008
【図７】
2014137381.tif 000009